(57)【要約】【課題】実績収集システムにおいて、工程を構成する作業の開始、終了の時刻を製造に必要な作業以外の操作で行うため、追加の作業が必要であり、漏れやタイミングのずれにより正確な実績が収集できない。【解決手段】実績収集システムにおいて、製造に必要な作業に伴い認識状態が変化するＩＤの情報を取得し、複数のＩＤの認識状態の変化パターンから工程を構成する各作業の作業時間を抽出する。【選択図】図１
2017120454.tif 000002
【特許請求の範囲】
【請求項１】
印刷製品の製造現場の各製造工程を構成する作業の作業実績を収集する実績収集するシステムにおいて、
１つ以上のＩＤを取得するＩＤ取得部と、
取得したＩＤに関する情報を保存する情報保存部と、
ＩＤ情報から実績を生成する規則を保存する規則保存部と、
情報保存部および規則保存部に保存された情報から実績を生成する実績生成部と、
生成された実績を保存する実績保存部と、
を有することを特徴とする実績収集システム。
【請求項２】
製造計画の元となる設定情報を保存する設定保存部と、設定情報と実績保存部の情報から、設定情報の更新値を計算し設定情報を更新する設定更新部と、を有することを特徴とする請求項１に記載の実績収集システム。
【請求項３】
製造工程を構成する作業が、準備作業、本作業、後片付け作業であることを特徴とする請求項２に記載の実績収集システム。
【請求項４】
作業として、自工程と次工程の間の移動工程を含むことを特徴とする請求項３に記載の実績収集システム。
【請求項５】
ＩＤ取得部で取得するＩＤの取得デバイスが複数存在する場合に、各取得デバイスで取得するＩＤの種類を判定するＩＤ判定部を持つことを特徴とする請求項２に記載の実績収集システム。
【発明の詳細な説明】
【技術分野】
【０００１】
本発明は、製造計画に基づく印刷製品の製造において、実績情報を収集する実績収集システムに関する。
【背景技術】
【０００２】
近年、印刷製品の製造において、多品種少量生産が増加している。少品種大量生産では複雑な製造計画は必要ないが、多品種少量生産では、複数の工程を経て製造される多種類の印刷製品を効率良く製造するために、作業計画の作成が重要となる。
【０００３】
作業計画は、注文情報、工程の組合せである製造プロセス、作業員、作業装置の各組合せでの単位作業あたりの作業時間を記述した設定情報に基づいて作成される。単位作業とは、例えば印刷工程では用紙１枚の印刷を示し、製本工程では１冊の製本を表す。したがって、この設定情報の精度が重要となるが、設定情報の精度を向上させる手段としては作業の実績を反映させる方法がある。工程は、複数の作業（ここでは、準備作業、本作業、後片付け作業の３つ）から構成される。
【０００４】
従来、これらの作業の開始、終了の時刻は、各作業に対応するバーコードをバーコードリーダーで読み取ったり、タブレット端末に表示されるボタンを押下したりすることにより入力されていた。
【０００５】
また、特許文献１には、作業場所を温度画像を撮影するカメラで撮影し、作業員の体が作業場所に存在した時間を実作業時間とする方法が開示されている。
【先行技術文献】
【特許文献】
【０００６】
【特許文献１】特許第５３４３０１３号公報
【発明の概要】
【発明が解決しようとする課題】
【０００７】
しかし、バーコードリーダーでの読取りや、タブレット端末での入力は、印刷製品の製造作業の作業動作にはない追加の操作であるため、操作を忘れたり、入力タイミングと実際の作業とにずれが発生する問題があった。
【０００８】
また、特許文献１に開示された方法では、作業の切り替えタイミング自体は本来の作業とは関係しないボタンによる入力であり、実作業時間として得られる時間も必ずしも実際の作業と対応するとは限らない。
【０００９】
本発明は、上述した問題を解決するためになされたものであり、作業員に追加の作業を強いることなく、工程を構成する各作業の作業時間の実績の収集を可能とする実績収集システムを提供することを目的とする。
【課題を解決するための手段】
【００１０】
上記の目的を達成するために、本発明に係る実績収集システムは、
印刷製品の製造現場の各製造工程を構成する作業の作業実績を収集する実績収集するシステムにおいて、
複数のＩＤを取得するＩＤ取得部と、
取得したＩＤに関する情報を保存する情報保存部と、
ＩＤ情報から実績を生成する規則を保存する規則保存部と、
情報保存部および規則保存部に保存された情報から実績を生成、保存する実績生成部と、
生成された実績を保存する実績保存部と、
製造計画の元となる設定情報と実績保存部の情報から、設定情報の更新値を計算して設定情報を更新する設定更新部と、
を有することを特徴とする。
【発明の効果】
【００１１】
本発明に係る実績収集システムによれば、作業員に本来の製造に必要な作業以外の追加の作業を強いることなく作業時間の実績を収集することが可能となる。
【図面の簡単な説明】
【００１２】
【図１】本発明の実績収集システムの全体構成図である。
【図２】本発明のＰＣのハードウェア構成図である。
【図３】実績を表現する各時刻の説明図である。
【図４】設定データの例である。
【図５】製本装置でのＩＤの認識状態の変化の説明図である。
【図６】ＩＤ認識履歴の例である。
【図７】対応規則の例である。
【図８】作業時間の抽出処理の処理フローである。
【発明を実施するための形態】
【００１３】
以下、添付の図面を参照して、本発明をその好適な実施形態に基づいて詳細に説明する。なお、以下の実施形態において示す構成は一例に過ぎず、本発明は図示された構成に限定されるものではない。
【００１４】
＜実施形態１＞
≪システムの全体構成≫
図１に、本発明の実績収集システムの全体構成を示す。
【００１５】
図１において、１０１は、印刷製品の製造フローを構成する装置の処理順を示し、印刷注文が入力されると左から順に実行される。なお、製造フローを構成する各装置は、負荷分散等を考慮し、それぞれ複数の台数が存在する場合がある。１０３は、印刷装置を表し、印刷注文に必要な印刷処理を行う。印刷装置で行われる処理全体を、以下、印刷工程と記述する。１０４は、製本装置を表し、印刷注文が製本が必要な商品の場合に印刷装置１０３の出力を製本する。製本装置で行われる処理全体を、以下、製本工程と記述する。
【００１６】
１０５は、断裁装置を表し、印刷装置１０３の出力や、製本装置１０４の出力に最終製品に不要な部分が含まれる場合に、不要部分を断裁する。断裁装置で行われる処理全体を、以下、断裁工程と記述する。１０６は、検品装置を表し、最終製品の確認と注文との突き合わせを行う。検品装置で合格したものが出荷される。検品装置で行われる処理全体を、以下、検品工程と記述する。印刷装置１０３、製本装置１０４、断裁装置１０５、検品装置１０６には、それぞれＩＤを検出するＩＤ検出器が備えられている。
【００１７】
１０２は、本発明の実績収集システムの機能を実現するＰＣを表す。本実施例では、これらの機能部は１台のＰＣで実行する想定であるが、複数のＰＣに分散して実行するように構成しても良い。１０７はＩＤ取得部であり、図１の１０１の各装置に供えられたＩＤ検出器からＩＤを取得する。１０８は情報保存部であり、ＩＤ取得部で取得したＩＤの情報を保存する。１１６は規則保存部であり、ＩＤ情報から工程の終了と、工程を構成する各作業の所要時間を計算する規則が保存されている。１１０は判定部であり、情報保存部１０８に保存された情報と規則保存部１１６に保存された規則から、工程の終了を判定し、工程を構成する各作業の所要時間を計算する。１０９は実績生成部であり、判定部１１０で計算された工程を構成する各作業の所要時間を含む実績情報を生成する。
【００１８】
１１１は実績保存部であり、実績生成部１０９で生成された実績情報を保存する。１１４は設定保存部であり、製造計画を作成する元となる作業の所要時間等の設定が保存されている。１１５は設定更新部であり、実績保存部１１１の情報と設定保存部１１４の情報とに基づき、設定の更新が必要か否かを判定し、更新が必要な場合には設定保存部の設定の値を更新する。１１３は計画作成部であり、設定保存部１１４の情報と注文情報に基づき、製造計画を生成する。１１２は制御部であり、計画作成部１１３で生成された製造計画に従って製造フロー１０１を構成する各装置を制御して印刷製品を製造する。
【００１９】
≪ＰＣのハードウェア構成≫
図２は本発明の機能部１０２において、各機能部のソフトウェアを実行するＰＣのハードウェア構成図である。
【００２０】
図２の２０１はＣＰＵを、２０２はＲＡＭを、２０３はＲＯＭであり、バス２０５で接続されている。２０４はネットワークＩ／Ｆである。２０６はＶＲＡＭ、２０７は液晶ディスプレイなどの表示装置である。２０９はマウス、キーボードなどの入力装置であり、対応する入力装置ドライバ２０８を介して利用者からの入力を処理する。
【００２１】
２１０はハードディスクであり、システムで使用するのプログラムの保存やデータの一時保存などに使用される。２１１は光学ドライブであり、各種モジュールをＰＣにインストールするＤＶＤなどのメディアの読み込みやバックアップに使用される。
【００２２】
≪工程を構成する作業≫
図１の製造フロー１０１を構成する各機械で実施される工程は複数の作業から構成される。
【００２３】
以下、製本装置１０４における製本工程を例として作業の実績について説明する。
【００２４】
図３に、本実施例の実績収集システムで収集する実績の元となる時刻の定義を示す。
【００２５】
図３において、３０１は時間軸を表し、右方向に時間が流れるものとする。３０２は工程の開始時刻を表し、作業員が作業場所（製本工程の場合、製本装置のある場所）で作業の準備を開始した時刻に相当する。３０３は実作業（製本工程の場合、製本作業）の開始時刻を表し、準備作業が終了して製本装置による製本作業が開始された時刻に相当する。３０４は後片付け作業の開始時刻を表し、実作業の終了後に後片付け（製本工程の場合、製本物の収集、冊数のチェックなど）を開始した時刻に相当する。３０５は工程の終了時刻を表し、後片付け作業が終了し、次の工程へ移動を開始した時刻に相当する。
【００２６】
本実施例の実績収集システムでは、工程開始時刻３０２から実作業開始時刻３０３までの時間を準備作業の作業時間とする。同様に、実作業開始時刻３０３から後片付け作業開始時刻３０４を実作業の作業時間、後片付け作業開始時刻３０４から工程終了時刻３０５を後片付け作業の作業時間とする。
【００２７】
≪計画作成と実行≫
以下では、印刷製品として、印刷した表紙と本文から製本、断裁の後に検品を行う製造フローで製造される冊子を想定する。
【００２８】
図４に、設定保存部１１４に保存される設定データの例を示す。
【００２９】
設定データには、工程ＩＤ、作業員ＩＤ、作業装置ＩＤの組合せについて、作業単位にかかわらず一定な準備作業時間、後片付け作業時間、作業単位あたり（製本工程の場合、１部あたり）の本作業の作業時間が記載される。計画部１１３は、注文内容と前記設定データから製造計画を作成する。制御部１１２は、計画部１１３が作成した製造計画に従って、印刷装置１０３、製本装置１０４、断裁装置１０５、検品装置１０６に制御命令を送付する。
【００３０】
≪ＩＤの認識状態の変化≫
本実施例では、作業に伴う、各装置に設置されたＩＤ、作業員証のＩＤ，作業指示書のＩＤなどのＩＤ情報の認識状態の変化から各作業時間を収集する。
【００３１】
本実施例では、装置や印刷物に記載されたコードを作業場所に設置されたカメラで読取り、その認識状態の変化から作業時間を抽出する。
【００３２】
≪作業開始前≫
図５に、製本装置１０４でのＩＤの認識状態の変化の説明図を示す。
【００３３】
図５において、５０１は、作業指示書置き場であり、作業員が作業開始時に作業指示書と作業員証を置く場所を示す。５０２は製本装置である。５０３は製本装置の表紙入力部であり、表紙入力部に表紙を、図示しない本文入力部に本文を置くと製本装置５０２で製本が行われ、製本機の左側に製本後の冊子が出力される。５０６は、表紙入力部に設置された表紙入力部ＩＤである。
【００３４】
５０４、５０５は、それぞれ作業指示書置き場５０１、表紙入力部５０３を撮影するカメラである。５０７は作業指示書であり作業指示書ＩＤを表すコードが印刷されている。５０８は表紙の用紙である。５０９は製本された冊子である。５１０は作業員証であり作業員ＩＤを表すコードが印刷されている。
【００３５】
≪工程の作業とＩＤの認識状態≫
＜作業開始前＞
図５（ａ）は製本工程の作業開始前の状態を示している。
【００３６】
作業指示書置き場５０１には、作業指示書、作業員証は置かれておらず、いずれのＩＤも認識されていない。表紙入力部５０３にも表紙用紙が置かれておらず表紙入力部ＩＤ５０６が認識されている。
【００３７】
＜工程の開始＞
作業員が製本工程の作業場所に移動し、図５（ｂ）に示すように作業指示書置き場５０１に作業指示書を置くと、カメラ５０４により作業指示書の作業指示書ＩＤが読取られる。作業員は、作業員証を携帯しており、作業指示書を置くときに、カメラ５０４により作業員証の作業員ＩＤが読取られる。この時点では、表紙入力部ＩＤ５０６がカメラ５０５で読取られ認識されている。
【００３８】
＜実作業の開始＞
図５（ｂ）の状態から、図５（ｃ）のように表紙入力部５０３に表紙５０８を置くと、表紙入力部ＩＤ５０６がカメラ５０５から認識されなくなる。表紙５０８は、製本機５０２中に引き込まれ本文と合体することで断裁前の冊子が作成される。
【００３９】
＜後片付け作業の開始＞
表紙５０８が製本機５０２中に引き込まれると、図５（ｄ）のように表紙入力部ＩＤ５０６が再びカメラ５０５で認識状態になる。製本機５０２の左側に製本後の冊子５０９が出力されるので、作業員は製本状態のチェック等の後片付け作業を行う。
【００４０】
＜工程の終了＞
後片付け作業が終わったら、作業員は作業指示書置き場５０１から作業指示書と作業員証、製本後の冊子５０９とともに次の工程（この場合、断裁工程）へ移動する。
【００４１】
≪作業時間の実績取得≫
上記で説明した図５の製本工程で必要な作業に伴う動作で、作業員ＩＤ、作業指示書ＩＤ、表紙入力部ＩＤの３つのＩＤの認識状態が変化している。本実施例の実績収集システムでは、これらのＩＤの認識状態の変化の組合せから準備作業、本作業、後片付け作業の作業時間を取得する。
【００４２】
＜ＩＤの認識状態の変化履歴＞
ＩＤ取得部１０７は、図５で説明した作業に伴うＩＤの認識状態の変化の履歴（ＩＤ認識履歴）を情報保存部１０８に保存する。
【００４３】
図６に、ＩＤ認識履歴の例を示す。
【００４４】
図６の（ａ）、（ｂ）、（ｃ）の表は、それぞれ作業員ＩＤ、作業指示書ＩＤ、表紙入力部ＩＤの認識状態の変化履歴である。各履歴には、発生した認識状態の変化と発生時刻が記録される。状態の変化は、認識されている状態をＯＮ、認識されていない状態をＯＦＦとして、ＯＮからＯＦＦ、ＯＦＦからＯＮへの変化をそれぞれ‘ＯＮ→ＯＦＦ’，‘ＯＦＦ→ＯＮ’と表す。作業員ＩＤは、一度読取られると工程終了まで値が保持される。このように保持されたＩＤの状態は‘ＯＮ’と表される。
【００４５】
＜作業時間取得の規則＞
システムの管理者は、作業前に、作業員ＩＤ、作業指示書ＩＤ、表紙入力部ＩＤの変化状態と、図３に示した４つの時刻との対応規則を規則保存部１１６に保存する。
【００４６】
図７の表に対応規則の例を示す。図７の表の列は、左から順に、時刻名、作業員ＩＤの変化、作業指示書ＩＤの変化、表紙入力部ＩＤの変化を表す。時刻名には、図３に示した時刻の名称が記載される。各ＩＤの変化の列には、時刻名の時刻を判定するＩＤの変化が記載される。表現方法はＩＤ認識履歴と同様であるが、状態が変化しない場合は‘ＯＮ→ＯＮ’，‘ＯＦＦ→ＯＦＦ’のように記述される。
＜ＩＤ認識履歴からの作業時間抽出処理＞
図８に、図６のＩＤ認識履歴から各作業時間を抽出処理の処理フローを示す。
【００４７】
ＩＤ取得部１０７により、製本工程１０４のＩＤ読取り状態が取得されると、判定部１１０において、ステップＳ８００からの処理が開始される。
【００４８】
ステップＳ８１４で、判定部１１０は、現在の工程の工程状態が４であるか否かを判定する。
【００４９】
工程状態は工程が現在、図３のどの部分を実行中であるかを表す。
工程状態＝０は、工程開始時刻３０２よりも前の状態であることを表す。
工程状態＝１は、準備作業中であることを表す。
工程状態＝２は、実作業中であることを表す。
工程状態＝３は、後片付け作業中であることを表す。
工程状態＝４は、工程終了時刻よりも後の状態であることを表す。
【００５０】
ステップＳ８１４で、工程状態が４である場合は、前の工程が終了した直後であるのでステップＳ８１５に進み、工程状態をリセットするために０を設定する。工程状態が４以外の場合は、ステップＳ８０１に進む。
【００５１】
ステップＳ８０１で、判定部１１０は、情報保存部１０８から、製本工程１０４に対応するＩＤ認識履歴を取得し、ステップＳ８０２に進む。
【００５２】
以下、図５の（ａ）、（ｂ）、（ｃ）、（ｄ）、（ｅ）の各状態での判定部１１０の判定について説明する。
【００５３】
（ａ）の時点での判定
ステップＳ８０２で、判定部１１０は、工程状態が１以上か工程開始の条件に合う時刻が存在するかを判定する。工程開始の条件は、規則保存部１１６に保存された図７の対応規則に記載されている。図５（ａ）の時点では工程状態は０で、図６の（ａ）、（ｂ）、（ｃ）のいずれのログも空の状態であり、工程開始の条件に合わないのでステップＳ８１３に進み処理を終了する。
【００５４】
（ｂ）の時点での判定
図５の（ｂ）では、作業員ＩＤが認識され図６の（ａ）の‘ＯＦＦ→ＯＮ’の行が追加される。また、作業指示書ＩＤも認識されるので図６の（ｂ）に‘ＯＦＦ→ＯＮ’の行が追加されるが、（ｃ）は空のままの状態となる。
【００５５】
ステップＳ８０２で、判定部１１０は条件が満たされると判定し、ステップ８０３に進む。
【００５６】
ステップＳ８０３で、判定部１１０は工程状態が０なので、ステップＳ８０４で工程状態を１にしてステップＳ８０５に進む。
【００５７】
ステップＳ８０５では、作業員ＩＤ、作業指示書ＩＤはＯＮであるが、表紙入力部ＩＤもＯＮであるので、判定部１１０は条件を満たさないと判定し、ステップＳ８１３に進み処理を終了する。
【００５８】
（ｃ）の時点での判定
図５の（ｃ）では、作業員ＩＤ、作業指示書ＩＤの認識状態に変化はないが、表紙入力部ＩＤが認識されなくなるので図６の（ｃ）に‘ＯＮ→ＯＦＦ’の行が追加される。この時点では、工程状態が１に設定されているので、ステップＳ８０２、ステップＳ８０３、ステップＳ８０５の順に処理が進む。
【００５９】
ステップＳ８０５で、判定部１１０は条件が満たされると判断し、ステップＳ８０６に進む。
【００６０】
ステップＳ８０６で、判定部１１０は工程状態が１なので、ステップＳ８０７で工程状態を２にしてステップＳ８０８に進む。
【００６１】
ステップＳ８０８では、作業員ＩＤ、作業指示書ＩＤはＯＮであるが、表紙入力部ＩＤがＯＦＦであるので、判定部１１０は条件を満たさないと判定し、ステップＳ８１３に進み処理を終了する。
【００６２】
（ｄ）の時点での判定
図５の（ｄ）では、作業員ＩＤ、作業指示書ＩＤの認識状態に変化はないが、表紙入力部ＩＤが再び認識されるので図６の（ｃ）に‘ＯＦＦ→ＯＮ’の行が追加される。この時点では、工程状態が２に設定されているので、ステップＳ８０２、ステップＳ８０３、ステップＳ８０５、ステップＳ８０６、ステップＳ８０８の順に処理が進む。
【００６３】
ステップＳ８０８で、判定部１１０は条件が満たされると判断し、ステップＳ８０９に進む。
【００６４】
ステップＳ８０９で、判定部１１０は工程状態が２なので、ステップＳ８１０で工程状態を３にしてステップＳ８１１に進む。
【００６５】
ステップＳ８１１では、作業員ＩＤ、表紙入力部ＩＤはＯＮであるが、作業指示書ＩＤもＯＮであるので、判定部１１０は条件を満たさないと判定し、ステップＳ８１３に進み処理を終了する。
【００６６】
（ｅ）の時点での判定
図５の（ｅ）では、作業指示書ＩＤが認識されない状態になっているので、図６の（ｂ）に‘ＯＮ→ＯＦＦ’の行が追加される。
【００６７】
この時点では、工程状態が３に設定されているので、ステップＳ８０２、ステップＳ８０３、ステップＳ８０５、ステップＳ８０６、ステップＳ８０８、ステップＳ８０９、ステップＳ８１１の順に処理が進む。
【００６８】
ステップＳ８１１で、判定部１１０は条件が満たされると判断し、ステップＳ８１２に進む。
【００６９】
ステップＳ８１２で、判定部１１１は、準備作業、実作業、後片付け作業の開始、終了時刻から、作業の作業時間を計算し、実績保存部１１１に保存、工程状態を４に設定してステップＳ８１３に進み処理を終了する。
【００７０】
≪設定の値の更新≫
設定更新部１１５は、実績保存部１１１の内容を監視し、設定保存部１１４の対応する項目の値との差が既定値以上になったら、設定保存部１１４の対応する値を更新する。たとえば、工程ＩＤが製本１、作業員Ａ、製本機１での本作業の単位作業あたりの所要時間の過去２０回の平均が６秒になり、図４の設定３秒との差が既定値（２秒と想定）以上になった場合、設定を６秒に更新する。以後、前記更新された設定値を使用することにより、計画の精度を向上させることができる。
【００７１】
＜実施形態２＞
実施例１においては、工程を３つの作業として実績を収集しているが、工程の後片付け作業の後に次工程への移動工程を追加してもよい。この場合、移動工程は、移動前の工程で作業指示書ＩＤが認識されなくなった時刻から、移動後の工程で作業指示書ＩＤが認識された時刻までとする。これにより工程間の移動時間の実績も収集可能となる。
【００７２】
＜実施形態３＞
実施例１においては、図５の２つのカメラ５０４、５０５でそれぞれ作業者ＩＤ、作業指示書ＩＤ、および表紙入力部ＩＤを読取る。この時、２つのカメラの撮影範囲は重ならない想定である。しかし、実際の設置環境ではたとえばカメラ５０５の撮影範囲に作業員証５１０が入って作業員ＩＤが読取られる場合も考えられる。
【００７３】
このような場合に、各カメラで読取るべきＩＤを判定するＩＤ判定部をＩＤ取得部１０７と情報保存部１０８の間に置いてもよい。本構成では、各カメラで読取るＩＤの種類を限定することにより、ＩＤの誤認識を防止することができる。
【００７４】
＜その他の実施形態＞
以上、実施形態例を詳述したが、本発明は例えば、システム、装置、方法、プログラム若しくは記録媒体（記憶媒体）としての実施態様をとることが可能である。具体的には、複数の機器（例えば、ホストコンピュータ、インタフェース機器、撮像装置、Ｗｅｂアプリケーション等）から構成されるシステムに適用しても良いし、また、一つの機器からなる装置に適用しても良い。
【００７５】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【００７６】
１０１  印刷製品の処理フロー、１０２  機能部、１０４  製本装置、
１０７  ＩＤ取得部、１０８  情報保存部、１０９  実績生成部、１１０  判定部、
１１１  実績保存部、１１４  設定保存部、１１５  設定更新部、１１６  規則保存部、
３０１  時間軸、３０２  工程開始時刻、３０３  実作業開始時刻、
３０４  後片付け作業開始時刻、３０５  工程終了時刻、５０１  作業指示書置き場、
５０２  製本装置、５０３  表紙入力部、５０４  カメラ、５０５  カメラ、
５０６  表紙入力部ＩＤ、５０７  作業指示書、５０８  表紙、５０９  冊子、
５１０  作業員証
【図１】
2017120454.tif 000003
【図２】
2017120454.tif 000004
【図３】
2017120454.tif 000005
【図４】
2017120454.tif 000006
【図５】
2017120454.tif 000007
【図６】
2017120454.tif 000008
【図７】
2017120454.tif 000009
【図８】
2017120454.tif 000010